(57)【特許請求の範囲】
【請求項１】
ドーム、スタジアム等に於いて、大空間仕切幕を構成する方法であって、
ドーム、スタジアム等の床に用意されたポール孔へアンカーポールを建てる段階と、
床上で、上ビームと下ビーム及び両側の柱とを有するカーテンポールを組み立て、床上に寝かせて置く段階と、
前記アンカーポールに付設されたポールウインチから引き出した建柱ワイヤーを、床上に寝かせた前記カーテンポールと連結し、同カーテンポールの柱下端部をアンカーポールの軸受に回動可能に支持せしめ、前記ポールウインチの駆動によりカーテンポールを垂直姿勢まで建て起こし、同カーテンポールをアンカーポールへ固定する段階と、
前記カーテンポールの下ビームに設置されたカーテンウインチから引き出したウインチワイヤーの先端をウインチバーと連結し、上ビームのガイドシーブへ予め巻掛けておいた吊りワイヤーの一端を前記ウインチバーへ止着し、他端はカーテンのトップバーへ連結し、前記カーテンウインチの駆動によりカーテンをカーテンハンガーから引き上げてカーテンポールの上ビームと床との間に垂直に張設する段階と、
より成ることをそれぞれ特徴とする、ドーム、スタジアム等に於ける大空間仕切幕の構成方法。
【請求項２】
床に用意されたポール孔へアンカーポールを建てる段階は、台車に設備されたウインチのワイヤーをアンカーポールの上部へ止着し、同ウインチの操作により台車へ立てて乗せ支持せしめ、同台車によりポール孔の直上位置へ運び、前記ウインチを操作してアンカーポールを垂直姿勢のまま吊り下ろしてポール孔の中へ建て込むことを特徴とする、請求項１に記載したドーム、スタジアム等に於ける大空間仕切幕の構成方法。
【請求項３】
アンカーポールをポール孔の中へ建て込んだ後、同アンカーポールとポール孔との隙間に複数の楔を挿入してアンカーポールの固定を行うことを特徴とする、請求項１又は２に記載したドーム、スタジアム等に於ける大空間仕切幕の構成方法。
【発明の詳細な説明】
【０００１】
【発明の属する技術分野】
この発明は、ドームやスタジアム等の大空間を多目的利用に供するため、その内部空間を仕切る大空間仕切幕を構成する方法の技術分野に属し、更に云えば、全て床上レベルでの作業として安全に行え、且つ電動機等の動力を格別必要としない大空間仕切幕の構成方法に関する。
【０００２】
【従来の技術】
従来、ドームやスタジアム等に於ける大空間仕切幕の構成方法としては、屋根架構なり天井が有る場合には、これらを利用してカーテンを吊り上げる方法が一般的に行われている（例えば、本出願人の特開平９−３１７０６７号公報記載の発明を参照）。
【０００３】
その他、床上を移動する建柱機などを使用してカーテンポールを建てる方法なども一部で実施されている。
【０００４】
【発明が解決しようとする課題】
従来の屋根架構なり天井を利用してカーテンを吊り上げる方法は、予めそのような設備が天井等に用意されていることが前提である。必然的に、天井等はカーテンを吊るに適した強度を必要とし、且つ設備を組み込んだ設計製作を行わなければならず、コスト高を招く。しかも前記カーテン吊り上げ用の設備に故障や不調が生じたときには、天井等へ届く高い足場を組み上げて対処するほかなく、大変に面倒であるし、危険な高所作業を余儀なくされる。
【０００５】
床上を移動する建柱機などを使用してカーテンポールを建てる方法は、技術的な見地からはそれなりに有意義ではあるが、頻度の少ない大空間仕切幕を構成する作業のために建柱機のような重機類を保有し輸送等することは経済的に大変な負担である。場合によっては重機類の重量で床構造を傷めたり、床に植えた芝等を著しく損傷させるなどの不具合もある。
【０００６】
この発明の目的は、天井等の設備を一切利用せず、しかも重機類の用意も必要でなく、安全な床上レベルの作業を少人数で進めることができ、電動機等の動力を格別必要とせず、手軽な道具類によりプレハブリケートした構成で安価に能率良く迅速に、高精度、高品質の大空間仕切幕を構成する方法を提供することである。
【０００７】
【課題を解決するための手段】
上述した課題を解決するための手段として、請求項１に記載した発明に係るドーム、スタジアム等に於ける大空間仕切幕の構成方法は、
ドーム、スタジアム等の床に用意されたポール孔へアンカーポールを建てる段階と、
床上で、上ビームと下ビーム及び両側の柱とを有するカーテンポールを組み立て、床上に寝かせて置く段階と、
前記アンカーポールに付設されたポールウインチから引き出した建柱ワイヤーを、床上に寝かせた前記カーテンポールと連結し、同カーテンポールの柱下端部をアンカーポールの軸受に回動可能に支持せしめ、前記ポールウインチの駆動によりカーテンポールを垂直姿勢まで建て起こし、同カーテンポールをアンカーポールへ固定する段階と、
前記カーテンポールの下ビームに設置されたカーテンウインチから引き出したウインチワイヤーの先端をウインチバーと連結し、上ビームのガイドシーブへ予め巻掛けておいた吊りワイヤーの一端を前記ウインチバーへ止着し、他端はカーテンのトップバーへ連結し、前記カーテンウインチの駆動によりカーテンをカーテンハンガーから引き上げてカーテンポールの上ビームと床との間に垂直に張設する段階と、
より成ることをそれぞれ特徴とする。
【０００８】
請求項２記載の発明は、請求項１に記載したドーム、スタジアム等に於ける大空間仕切幕の構成方法において、
床に用意されたポール孔へアンカーポールを建てる段階は、台車に設備されたウインチのワイヤーをアンカーポールの上部へ止着し、同ウインチの操作により台車へ立てて乗せ支持せしめ、同台車によりポール孔の直上位置へ運び、前記ウインチを操作してアンカーポールを垂直姿勢のまま吊り下ろしてポール孔の中へ建て込むことを特徴とする。
【０００９】
請求項３記載の発明は、請求項１又は２に記載したドーム、スタジアム等に於ける大空間仕切幕の構成方法において、
アンカーポールをポール孔の中へ建て込んだ後、同アンカーポールとポール孔との隙間に複数の楔を挿入してアンカーポールの固定を行うことを特徴とする。
【００１０】
【発明の実施の形態及び実施例】
請求項１〜３に記載した発明に係るドーム、スタジアム等に於ける大空間仕切幕の構成方法の実施形態を図面と共に説明する。
【００１１】
図１と図２は、スタジアム１の床上に本発明の方法で構成された大空間仕切幕２の実施形態を示している。符号の３は床面を示す。
【００１２】
図３〜図６は、本発明の大空間仕切幕の構成方法を実施する手順、特にカーテンポールを建て起こす手順の枢要な工程を概念的に示している。
【００１３】
先ず図３は、床面３に養生シート４を敷き、その上に柱材５、上ビーム材６、下ビーム材７、中間柱材８などをそれぞれ組み立てるべき配置に置いたカーテンポール組み立て直前の状態を示している。このとき既に、床面３にはアンカーポール１０が建てられている。また、上ビーム材６には予めガイドシーブ１１が取り付けられ、吊りワイヤー１２が巻掛けられている。前記の各材は継手を使用して接続し、或いは相互に連結して矩形枠構造のカーテンポールＫ（図４）が組み立てられる。その構造の詳細を図１２と図１３に示している。
【００１４】
次に図４と図５は、前記アンカーポール１０に付設された手動のポールウインチ３１から引き出した建柱ワイヤー３５を前記カーテンポールＫと連結し、前記ポールウインチ３１を駆動して建て起こす途中の段階を示している。そして、図６は垂直姿勢まで完全に建て起こした段階を示している。このとき、カーテンポールＫの柱５、８の下端部は、図１１に示したようにアンカーポール１０の軸受板３２のＵ溝へ支持ピン３３をはめて回動可能に支持せしめる。
【００１５】
更に詳しく、アンカーポール１０の構造とその建て起こし法を説明する。
前記アンカーポール１０は、外径が１６５mm、全長が３５００mm程度の金属管の加工品である。図７〜図９に示したように、当該アンカーポール１０は、略垂直な姿勢に立てた姿勢で台車１５上へ載せ、床面３上を運搬する。その手段として、台車１５の側枠１６へ設備された手動ウインチ１７から引き出したワイヤー１８を、同側枠１６の上端に取り付けたガイドシーブ１９から下向きにＵターンさせ、同ワイヤー１８の先端部をアンカーポール１０の比較的上部の位置に予め用意してあるブラケット２０へ止着する。そして、前記ウインチ１７を巻き上げ操作してアンカーポール１０を垂直姿勢に吊上げて、アンカーポール１０の先端を台車１５の台板１４の上に載せた状態に支持させて、そのまま床上の運搬を行う。
【００１６】
図７及び図８に示したように床面３に予め用意されたポール孔２２の直上位置へ前記の台車１５が到達すると、車輪をロックした後、アンカーポール１０の先端を少し浮かせて前記台板１４を後退スライドさせ、今度は逆にウインチ１７を緩める操作をして、同アンカーポール１０を直下のポール孔２２の中へゆっくりと下ろす。
【００１７】
ポール孔２２は、例えば床構造のコンクリート基礎部分に口径が１７８mm、深さを８００mm程度に形成されている。したがって、前記のアンカーポール１０は、１人の作業でも容易に安全に建てることができる（請求項２記載の発明）。
【００１８】
こうして建て込んだアンカーポール１０は、図１０に示したように、ポール孔２２との隙間へ楔２３を埋めてポール孔２２内へきっちり固定する（請求項３記載の発明）。
【００１９】
図１０に示した楔２３は、アンカーポール１０の側面に複数の支持板２６によって垂直下向きに支持されたネジ軸２４の下端部に取り付けられている。ナット２５を回すことによって前記ネジ軸２４を押し下げ、楔２３をポール孔２２の口部を形成する口金２７の内側へ押し込む構成とされている。したがって、アンカーポール１０の固定状態は、クサビ効果によって強く安定化される。楔２３は、アンカーポール１０の外周を３等分した３箇所に３個配置され、アンカーポール１０の傾き（垂直度）を調整可能とされている。勿論、前記楔２３を引き抜けば、アンカーポール１０の撤去は自由に行える。
【００２０】
上記のように建てられたアンカーポール１０の比較的上方の位置にブラケット３０が用意され、手動のポールウインチ３１が取り付けられている（図１１）。下部には軸受板３２が固定されており、該軸受け板３２のＵ溝に、上述したカーテンポールＫの柱５、８の下端部に取り付けた支持ピン３３をはめて回動可能に支持される。アンカーポール１０の上端にガイドシーブ３４が設置されており、前記ポールウインチ３１から引き出された建柱ワイヤー３５は前記ガイドシーブ３４を経てカーテンポールＫのブラケット３６へ連結される（図１１を参照）。
【００２１】
以上要するに、図３と図４に示し上述した如く、床上で上ビーム６と下ビーム７及び両側の柱５及び中間柱８から成るカーテンポールＫを組み立て、床上に寝かせて置くが、建て起こしに際しては、先ずカーテンポールの各柱５、８の下端部を持ち上げて、そこに取り付けられた支持ピン３３をアンカーポール１０の軸受板３２のＵ溝部へはめて回動可能に支持せしめる。次いで、前記アンカーポール１０に付設されたポールウインチ３１から引き出した建柱ワイヤー３５を、床上に寝かせた前記カーテンポールＫのブラケット３６と連結し、前記ポールウインチ３１の手操作駆動によりカーテンポールＫを少しずつゆっくりと起こしてゆく。このとき複数の作業員がカーテンポールＫの柱５、８を起こすように補助することも好ましい。こうしてカーテンポールＫは最終的には垂直姿勢まで建て起こす。そして、ポールウインチ３１を強く巻締めて、図１１のようにカーテンポールＫの柱５、８をアンカーポール１０と強く結合して固定した状態に保つ。更にアンカーポール１０とカーテンポールＫの柱５、８とをバンド等で強く結束することも一策である。
【００２２】
従って、使用済み後にカーテンポールＫを撤去する方法は、逆にポールウインチ３１を少しずつゆっくりと緩める操作によって、再び床面３の上に倒し寝かせることが容易であり、１ポール当たりの撤去作業はやはり１人で安全に行える。
【００２３】
次に、前記のように建て起こしたカーテンポールＫを利用してカーテンを張設する手順を説明する。
【００２４】
前記カーテンポールＫの下ビーム７に手動のカーテンウインチ４０を設置し（図１４）、このカーテンウインチ４０から引き出したウインチワイヤー４１の先端をウインチバー４２と連結する（図１５）。ウインチバー４２は、図１５から明かなように、上ビーム６のガイドシーブ１１の配置間隔と同じ長さの吊り治具であり、その下側中央部に前記ウインチワイヤー４１の先端部が連結されている。同ウインチバー４２の両端部に、上述のガイドシーブ１１から下ろした吊りワイヤー１２の一端が止着される。上述したようにカーテンポールＫの上ビーム６のガイドシーブ１１へ予め巻掛けておいた吊りワイヤー１２は、前記ウインチバー４２がカーテンポールＫの上ビーム６に近接した状態まで引っ張って、その他端をカーテン４４のトップバー４５へ連結し、前記カーテンウインチ４０の巻き込み駆動によりカーテン４４をカーテンハンガー４６（図１２）から引き上げ、カーテンポールＫの上ビーム６と床面３との間に垂直に張設する。この場合も、カーテン４４は、カーテンウインチ４０の強い巻き込み状態を保って張設状態を保持する。
【００２５】
従って、カーテン４４の解体撤去の作業は、カーテンウインチ４０を少しずつ緩めてカーテンハンガー４６へ折り畳みつつ戻す操作によって１人でも安全に簡単に行える訳である。
【００２６】
なお、カーテン４４に大空間仕切幕としての安定性を付与するため、水平方向のカーテンバー４７が上下方向に間隔をあけて複数付設されている（図１５）。
【００２７】
図１５は大空間仕切幕の完成状態を示している。カーテン４４の下部は、自走可能なカーテンハンガー４７へ吊り下げ、折り畳み状態で収納される。カーテンハンガー４６はカーテンポールＫの裏側に位置する。
【００２８】
【本発明が奏する効果】
請求項１〜３記載の発明に係るドーム、スタジアム等に於ける大空間仕切幕の構成方法は、天井等は一切利用せずに実施される。しかも重機類の用意も必要でなく、安全な床上レベルで作業を進めることができる。更に、電動機等の動力をを格別必要とせず、手動のウインチ、台車等の既製の手軽な道具類によりプレハブリケートした構成で安全、迅速に能率良く、高精度、高品質の大空間仕切幕を構成することが出来る。
【図面の簡単な説明】
【図１】本発明の方法で構成した大空間仕切幕の平面図である。
【図２】前記大空間仕切幕の正面図である。
【図３】カーテンポールの組立直前の斜視図である。
【図４】カーテンポールの建て起こし直前の斜視図である。
【図５】カーテンポールの建て起こし状態の側面図である。
【図６】建て起こしたカーテンポールの斜視図である。
【図７】アンカーポールの建て方を示した側面図である。
【図８】アンカーポールの建て方を示した正面図である。
【図９】アンカーポールの建て方を示した平面図である。
【図１０】楔の埋め込み手段を示した断面図である。
【図１１】カーテンポールの固定状態を示した側面図である。
【図１２】仕切幕の完成状態を示す側面図である。
【図１３】上ビームとガイドシーブとの関係を示した部分図である。
【図１４】下ビームとカーテンウインチとの関係を示した部分図である。
【図１５】完成した大空間仕切幕の正面図である。
【符号の説明】
１      スタジアム
２      大空間仕切幕
３      床面
２２    ポール孔
１０    アンカーポール
６      上ビーム
７      下ビーム
５、８  柱
Ｋ      カーテンポール
３１    ポールウインチ
３５    建柱ワイヤー
３２    軸受板
４０    カーテンウインチ
４１    ウインチワイヤー
４２    ウインチバー
１１    ガイドシーブ
１２    吊りワイヤー
４４    カーテン
４５    トップバー
４６    カーテンハンガー
４７    カーテンバー
４２    ウインチバー
１５    台車
１７    ウインチ
１８    ワイヤー
２３    楔
【図１】
0004067206.tif 000002
【図２】
0004067206.tif 000003
【図３】
0004067206.tif 000004
【図４】
0004067206.tif 000005
【図５】
0004067206.tif 000006
【図６】
0004067206.tif 000007
【図７】
0004067206.tif 000008
【図８】
0004067206.tif 000009
【図９】
0004067206.tif 000010
【図１０】
0004067206.tif 000011
【図１１】
0004067206.tif 000012
【図１２】
0004067206.tif 000013
【図１３】
0004067206.tif 000014
【図１４】
0004067206.tif 000015
【図１５】
0004067206.tif 000016